(57)【特許請求の範囲】
【請求項１】
光源を点灯する点灯電力を上記光源に供給する電力供給回路と、
上記電力供給回路の動作を制御する供給制御回路と、
上記供給制御回路が上記電力供給回路を動作させているか否かを検出する動作検出回路と、
上記動作検出回路が検出した結果に基づいて、上記光源が点灯している点灯時間を計測する点灯時間計測回路とを有し、
上記供給制御回路は、複数の端子を有する集積回路を有し、
上記集積回路は、上記電力供給回路を所定のモードで動作させる時間と、上記電力供給回路を所定のモードで動作させるとき上記電力供給回路が上記光源に供給する点灯電力の周波数とのうち少なくともいずれかを設定する抵抗及びコンデンサの少なくともいずれかを接続するための設定素子接続端子を有し、
上記動作検出回路は、上記設定素子接続端子に発生する電圧を監視することにより、上記供給制御回路が上記電力供給回路を動作させているか否かを検出することを特徴とする点灯装置。
【請求項２】
光源を点灯する点灯電力を上記光源に供給する電力供給回路と、
上記電力供給回路の動作を制御する供給制御回路と、
上記供給制御回路が上記電力供給回路を動作させているか否かを検出する動作検出回路と、
上記動作検出回路が検出した結果に基づいて、上記光源が点灯している点灯時間を計測する点灯時間計測回路とを有し、
上記供給制御回路は、複数の端子を有する集積回路を有し、
上記集積回路は、上記集積回路自身が動作するための制御電源電力を入力する制御電源入力端子を有し、
上記動作検出回路は、上記制御電源入力端子に発生する電圧を監視することにより、上記供給制御回路が上記電力供給回路を動作させているか否かを検出することを特徴とする点灯装置。
【請求項３】
光源を点灯する点灯電力を上記光源に供給する電力供給回路であって、入力電力を入力し、入力した入力電力を変換して、上記点灯電力を生成する電力供給回路と、
上記電力供給回路の動作を制御する供給制御回路と、
上記供給制御回路が上記電力供給回路を動作させているか否かを検出する動作検出回路と、
上記動作検出回路が検出した結果に基づいて、上記光源が点灯している点灯時間を計測する点灯時間計測回路と、
上記電力供給回路が入力電力を入力しているか否かを検出する入力検出回路と
を有し、
上記点灯時間計測回路は、上記動作検出回路が検出した結果と、上記入力検出回路が検出した結果とに基づいて、上記点灯時間を計測することを特徴とする点灯装置。
【請求項４】
上記供給制御回路は、複数の端子を有する集積回路を有し、
上記動作検出回路は、上記集積回路の複数の端子のうち、少なくともいずれかの端子に発生する電圧を監視することにより、上記供給制御回路が上記電力供給回路を動作させているか否かを検出することを特徴とする請求項３に記載の点灯装置。
【請求項５】
上記集積回路は、上記電力供給回路を所定のモードで動作させる時間と、上記電力供給回路を所定のモードで動作させるとき上記電力供給回路が上記光源に供給する点灯電力の周波数とのうち少なくともいずれかを設定する抵抗及びコンデンサの少なくともいずれかを接続するための設定素子接続端子を有し、
上記動作検出回路は、上記設定素子接続端子に発生する電圧を監視することにより、上記供給制御回路が上記電力供給回路を動作させているか否かを検出することを特徴とする請求項４に記載の点灯装置。
【請求項６】
上記集積回路は、上記集積回路自身が動作するための制御電源電力を入力する制御電源入力端子を有し、
上記動作検出回路は、上記制御電源入力端子に発生する電圧を監視することにより、上記供給制御回路が上記電力供給回路を動作させているか否かを検出することを特徴とする請求項１、４、５のいずれかに記載の点灯装置。
【請求項７】
上記電力供給回路は、入力電力を入力し、入力した入力電力を変換して、上記点灯電力を生成し、
上記点灯装置は、上記電力供給回路が入力電力を入力しているか否かを検出する入力検出回路を有し、
上記点灯時間計測回路は、上記動作検出回路が検出した結果と、上記入力検出回路が検出した結果とに基づいて、上記点灯時間を計測することを特徴とする請求項１に記載の点灯装置。
【請求項８】
上記点灯装置は、上記点灯時間計測回路が計測した点灯時間に基づいて、上記光源を点灯する調光度を算出する調光度算出回路を有し、
上記供給制御回路は、上記調光度算出回路が算出した調光度に基づいて、上記電力供給回路が上記光源に供給する点灯電力を制御することを特徴とする請求項１〜７のいずれかに記載の点灯装置。
【請求項９】
光源を着脱自在に固定する光源固定部と、上記光源固定部に固定された光源に対して上記点灯電力を供給する請求項１〜８のいずれかに記載の点灯装置とを有することを特徴とする照明装置。
【発明の詳細な説明】
【技術分野】
【０００１】
この発明は、放電灯などの光源を点灯する電力を供給する点灯装置に関する。
【背景技術】
【０００２】
点灯装置の点灯回路を制御する汎用の制御ＩＣ（集積回路）が存在する。
初期照度補正など、汎用の制御ＩＣにない機能を実現するため、汎用の制御ＩＣとは別に制御回路を設ける場合がある。
【先行技術文献】
【特許文献】
【０００３】
【特許文献１】特開２００４−３２７１１６号公報
【発明の概要】
【発明が解決しようとする課題】
【０００４】
点灯装置が、汎用の制御ＩＣと、それとは別に設けた制御回路とのように、複数の制御回路を有する場合、複数の制御回路を協調動作させることが必要となる。
【０００５】
汎用の制御ＩＣは、通常、他の制御回路と協調動作をすることを考慮して設計されていない。
例えば、初期照度補正を実現するためには、別途設けた制御回路が、汎用の制御ＩＣの動作状態を検知した上で、汎用の制御ＩＣを制御する必要があり、また、光源の点灯している時間を累積して計測する必要がある。したがって、別途設けた制御回路は、汎用の制御ＩＣの動作状態を知る必要がある。
この発明は、例えば上記のような課題を解決するためになされたものであり、他の制御回路と協調動作することを考慮して設計されていない汎用の制御ＩＣなどを用いて、初期照度補正など汎用の制御ＩＣにない機能を持つ点灯装置を実現するため、光源の点灯時間を正しく計測することを目的とする。
【課題を解決するための手段】
【０００６】
この発明にかかる点灯装置は、光源を点灯する点灯電力を上記光源に供給する電力供給回路と、上記電力供給回路の動作を制御する供給制御回路と、上記供給制御回路が上記電力供給回路を動作させているか否かを検出する動作検出回路と、上記動作検出回路が検出した結果に基づいて、上記光源が点灯している点灯時間を計測する点灯時間計測回路とを有することを特徴とする。
【発明の効果】
【０００７】
この発明にかかる点灯装置によれば、供給制御回路が電力供給回路を動作させているか否かを動作検出回路が検出するので、供給制御回路が保護動作した場合などであっても、光源が点灯している点灯時間を正しく計測することができる。
【図面の簡単な説明】
【０００８】
【図１】実施の形態１における照明装置８００の外観を示す斜視図。
【図２】実施の形態１における点灯装置１００の構成を示す構成図。
【図３】実施の形態１における制御部２００の構成を示す構成図。
【図４】実施の形態１における供給制御回路２７０の構成を示す構成図。
【図５】実施の形態１における点灯装置１００の動作の一例を示す波形図。
【図６】実施の形態１における点灯装置１００の動作の一例を示す波形図。
【図７】実施の形態１における点灯装置１００の動作の一例を示す波形図。
【図８】実施の形態１における副制御処理Ｓ５００の流れを示すフローチャート図。
【図９】実施の形態１における調光度と目標電圧・補正電圧との関係を示すグラフ図。
【発明を実施するための形態】
【０００９】
実施の形態１．
実施の形態１について、図１〜図９を用いて説明する。
【００１０】
図１は、この実施の形態における照明装置８００の外観を示す斜視図である。
照明装置８００（照明器具）は、本体８１０と、光源固定部８２０とを有する。
本体８１０は、点灯装置１００（図２参照）を内蔵する。
光源固定部８２０は、放電灯などの光源ＬＡ（ランプ）を着脱自在に固定する。
点灯装置１００は、光源固定部８２０に固定された光源ＬＡに対して、光源ＬＡを点灯する電力を供給する。点灯装置１００が光源ＬＡに供給する電力を、点灯電力と呼ぶ。
【００１１】
図２は、この実施の形態における点灯装置１００の構成を示す構成図である。
点灯装置１００は、電力供給回路１１０、制御部２００を有する。
電力供給回路１１０は、商用電源などの交流電源ＡＣから供給された電力（例えば、周波数５０Ｈｚ〜６０Ｈｚ、電圧実効値１００Ｖ〜２４２Ｖ）を入力する。電力供給回路１１０が交流電源ＡＣから入力する電力を、入力電力と呼ぶ。電力供給回路１１０は、入力電力を変換して点灯電力を生成する。
制御部２００は、電力供給回路１１０の動作を監視し、電力供給回路１１０の動作を制御する。
電力供給回路１１０は、全波整流回路１２０、アクティブフィルタ回路１３０、インバータ回路１４０、負荷回路１５０、電力測定回路１６０を有する。
【００１２】
全波整流回路１２０（入力回路）は、入力電力を入力する。全波整流回路１２０は、入力した入力電力を全波整流して、電圧波形を脈流にする。全波整流回路１２０は、全波整流した電力を出力する。全波整流回路１２０は、例えばダイオードブリッジ回路である。全波整流回路１２０の正電圧側出力端子は、入力検出端子１１１に電気接続している。全波整流回路１２０の負電圧側出力端子は、グランド配線に電気接続している。
【００１３】
アクティブフィルタ回路１３０は、全波整流回路１２０が全波整流した電力を入力する。アクティブフィルタ回路１３０は、入力した電力を変換して、電圧波形を直流にする。アクティブフィルタ回路１３０は、電圧を昇圧し平滑する。また、アクティブフィルタ回路１３０は、入力した電力の電流波形を電圧波形に近い波形にすることにより、点灯装置１００の力率を改善する。アクティブフィルタ回路１３０は、電圧波形を直流にした電力を出力する。アクティブフィルタ回路１３０は、例えば昇圧チョッパ回路である。
【００１４】
インバータ回路１４０（交流生成回路、点灯回路）は、アクティブフィルタ回路１３０が出力した電力を入力する。インバータ回路１４０は、入力した電力を変換して、電圧波形を高周波の交流（例えば、周波数５０ｋＨｚ〜８０ｋＨｚの矩形波）にする。インバータ回路１４０は、電圧波形を高周波の交流にした電力を出力する。
インバータ回路１４０は、例えば、ハーフブリッジ回路を有する。ハーフブリッジ回路は、直列に電気接続した２つのスイッチング素子Ｑ４１，Ｑ４２を有する。スイッチング素子Ｑ４１は、第一駆動信号端子１４１と第一基準信号端子１４２とを介して駆動信号（スイッチング信号）を入力する。スイッチング素子Ｑ４２は、第二駆動信号端子１４３を介して駆動信号を入力する。スイッチング素子Ｑ４１，Ｑ４２は、入力した駆動信号にしたがって、オンオフする。インバータ回路１４０は、２つのスイッチング素子Ｑ４１，Ｑ４２が交互にオンオフすることにより、電圧波形を高周波の交流にした電力を生成する。
【００１５】
負荷回路１５０（点灯回路）は、インバータ回路１４０が出力した電力を入力する。負荷回路１５０は、入力した電力を、光源固定部８２０に固定された光源ＬＡに供給する。
負荷回路１５０は、例えば、チョークコイルＬ５１、始動コンデンサＣ５２、結合コンデンサＣ５３を有する。チョークコイルＬ５１は、光源ＬＡを流れる電流を制限する。これにより、インバータ回路１４０が生成する矩形波の周波数が高ければ、光源ＬＡを流れる電流が小さくなり、逆に、インバータ回路１４０が生成する矩形波の周波数が低ければ光源ＬＡを流れる電流が大きくなる。始動コンデンサＣ５２は、光源ＬＡの点灯を開始するとき、チョークコイルＬ５１と共振することにより、光源ＬＡの両端に高電圧を発生させ、光源ＬＡの放電を開始させる。結合コンデンサＣ５３は、インバータ回路１４０が出力した電力の電圧波形の直流成分をカットする。結合コンデンサＣ５３の一方の端子は、異常検出端子１１２に電気接続している。結合コンデンサＣ５３のもう一方の端子は、グランド配線に電気接続している。
光源ＬＡは、負荷回路１５０から供給された電力により点灯する。
【００１６】
電力測定回路１６０（電力検出回路）は、電力供給回路１１０が光源ＬＡに供給する点灯電力を測定する。電力測定回路１６０は、測定した点灯電力を表わす信号を出力する。電力測定回路１６０が出力する信号を、電力測定信号と呼ぶ。
電力測定回路１６０は、例えば、インバータ回路１４０のスイッチング素子Ｑ４２に直列に電気接続した電流検出抵抗Ｒ６１を有する。電力測定回路１６０は、電力測定電圧端子１６２を介して、電流検出抵抗Ｒ６１の両端に発生した電圧を、電力測定信号として出力する。電流検出抵抗Ｒ６１の両端に発生した電圧を、電力測定電圧と呼ぶ。電力測定電圧は、光源ＬＡを流れる電流のうち、スイッチング素子Ｑ４２がオンのときに流れる電流に比例する。光源ＬＡが正常に点灯していれば、スイッチング素子Ｑ４２がオンのときに流れる電流の絶対値と、スイッチング素子Ｑ４１がオンのときに流れる電流の絶対値とは等しくなるので、電力測定電圧を平均すれば、電力供給回路１１０が光源ＬＡに供給した点灯電力の平均値に比例する電圧となる。
【００１７】
図３は、この実施の形態における制御部２００の構成を示す構成図である。
制御部２００は、積分回路１６５、入力検出回路１７０、異常検出回路１８０、点灯検出回路１９０、マイコン２１０、極性反転回路２２０、積分回路２３０、バッファ回路２４０、電圧補正回路２５０、比較回路２６０、供給制御回路２７０を有する。
【００１８】
積分回路１６５は、電力測定回路１６０と一体となって、電力供給回路１１０が光源ＬＡに供給する点灯電力を測定する。積分回路１６５は、電力測定回路１６０が出力した電力測定信号を入力する。積分回路１６５は、入力した電力測定信号を積分して平滑化し、電力測定電圧の平均値に等しい電圧を生成する。積分回路１６５は、例えば、積分抵抗Ｒ３１と、積分コンデンサＣ３２とを有する。積分抵抗Ｒ３１は、電力測定信号の電圧を電流に変換する。積分コンデンサＣ３２は、積分抵抗Ｒ３１が変換した電流により充放電する。これにより、積分コンデンサＣ３２の両端には、電力測定信号の電圧の平均値に等しい電圧が発生する。
【００１９】
入力検出回路１７０は、点灯装置１００が入力電力を入力しているか否かを検出する。入力検出回路１７０は、検出した結果を表わす信号（ＡＣ検出信号）を出力する。入力検出回路１７０が出力する信号を、入力検出信号と呼ぶ。入力検出回路１７０は、例えば、入力検出端子１１１（入力回路の出力側）のグランド配線に対する電位差を監視することにより、点灯装置１００が入力電力を入力しているか否かを検出する。点灯装置１００が入力電力を入力していれば、入力検出端子１１１とグランド配線との間の電位差は、交流電源ＡＣの周波数の２倍の周波数に対応する周期で、所定の電圧より高くなる。したがって、入力検出回路１７０は、入力検出端子１１１とグランド配線との間の電位差を、所定の閾値電圧と比較することにより、点灯装置１００が入力電力を入力しているか否かを検出する。
【００２０】
異常検出回路１８０（ランプ異常検出回路）は、光源ＬＡの異常を検出する。異常検出回路１８０は、検出した結果を表わす信号を出力する。異常検出回路１８０が出力する信号を、異常検出信号と呼ぶ。異常検出回路１８０は、例えば、異常検出端子１１２のグランド配線に対する電位差を監視することにより、光源ＬＡの異常点灯を検出する。例えば、光源ＬＡがエミレス点灯状態になると、結合コンデンサＣ５３を流れる電流の方向が一方向になるので、結合コンデンサＣ５３が一方的に充電もしくは放電される。これにより、異常検出端子１１２とグランド配線との間の電位差は、光源ＬＡが正常に点灯している場合と比較して、高くもしくは低くなる。異常検出回路１８０は、異常検出端子１１２とグランド配線との間の電位差を、所定の上限閾値電圧及び所定の下限閾値電圧と比較することにより、光源ＬＡの異常点灯を検出する。
【００２１】
点灯検出回路１９０（点灯動作検出回路）は、光源ＬＡが点灯しているか否かを検出する。点灯検出回路１９０は、検出した結果を表わす信号を出力する。点灯検出回路１９０が出力する信号を、点灯検出信号と呼ぶ。点灯検出回路１９０は、例えば、電力測定電圧端子１６２のグランド配線に対する電位差を監視することにより、光源ＬＡが点灯しているか否かを検出する。
【００２２】
マイコン２１０（サブ制御回路）は、例えば、図示していない記憶装置、処理装置、入力装置、出力装置を有する。
記憶装置は、処理装置が実行するプログラムや、処理装置が処理するデータなどを記憶する。記憶装置には、例えば、不揮発性メモリ（ＲＯＭ）や、揮発性メモリ（ＲＡＭ）などがある。ＲＯＭは、処理装置が実行するプログラムや、マイコン２１０の動作電源が切られたのちも保持し続ける必要がある書き換え可能なデータなどを記憶する。ＲＡＭは、処理装置が処理するデータなどを一時的に記憶する。
処理装置は、記憶装置が記憶したプログラムを実行することにより、データを処理するとともに、マイコン２１０全体を制御する。
入力装置は、マイコン２１０の外部から信号を入力する。入力装置は、入力した信号を、処理装置が処理できるデータに変換する。入力装置が変換したデータは、処理装置が直接処理してもよいし、ＲＡＭなどの記憶装置が一時的に記憶してもよい。入力装置は、例えば、アナログデジタル変換回路（ＡＤＣ）である。ＡＤＣは、外部からの信号の電圧値をデジタルデータに変換する。
出力装置は、処理装置が処理したデータや記憶装置が記憶したデータを、マイコン２１０の外部に出力する信号に変換する。出力装置は、変換した信号を出力する。出力装置は、例えば、デジタルアナログ変換回路（ＤＡＣ）である。ＤＡＣは、デジタルデータを信号の電圧値に変換する。
【００２３】
マイコン２１０は、記憶装置が記憶したプログラムを処理装置が実行することにより、動作検出回路２１１、点灯時間計測回路２１２、調光度算出回路２１３などの機能を実現する。
なお、動作検出回路２１１、点灯時間計測回路２１２、調光度算出回路２１３は、マイコン２１０を用いて実現するのではなく、アナログ回路、デジタル回路、集積回路などの電子回路を用いて実現してもよいし、機械的構成など電気的構成以外の構成を用いて実現してもよい。
【００２４】
動作検出回路２１１（動作信号入力部）は、供給制御回路２７０が電力供給回路１１０を動作させているか否かを検出する。
点灯時間計測回路２１２（ＡＣ検出信号入力部）は、入力検出回路１７０が出力した入力検出信号を入力する。点灯時間計測回路２１２（点灯状態信号入力部）は、点灯検出回路１９０が出力した点灯検出信号を入力する。点灯時間計測回路２１２（タイマ回路）は、入力検出信号と、点灯検出信号と、動作検出回路２１１の検出結果とに基づいて、光源ＬＡが点灯している時間を累積した時間を計測する。点灯時間計測回路２１２が計測した時間を、点灯時間と呼ぶ。点灯時間計測回路２１２（メモリ）は、計測した点灯時間を記憶する。
調光度算出回路２１３は、点灯時間計測回路２１２が計測した点灯時間に基づいて、光源ＬＡを点灯する調光度（電力指令値）を算出する。調光度算出回路２１３は、算出した調光度を表わす信号をマイコン２１０の外部に出力する。調光度算出回路２１３が出力した信号を、調光信号と呼ぶ。
【００２５】
光源ＬＡは、新品の状態では明るく点灯するが、点灯時間が長くなるにつれて暗くなる。このため、点灯時間が短いときは調光度を低くし、点灯時間が長くなるにつれて調光度を高くする（初期照度補正）ことにより、光源ＬＡの明るさを一定に保つ。例えば、あらかじめ、点灯時間と調光度との対応関係を表わすテーブルをＲＯＭが記憶しておく。調光度算出回路２１３は、ＲＯＭが記憶したテーブルを参照することにより、現在の点灯時間に対応する調光度を算出する。
【００２６】
調光信号は、例えば、負極性の信号である。すなわち、調光信号の電位が所定の電位より高い場合に論理的な「０」を表わし、低い場合に論理的な「１」を表わす。調光信号は、例えば、パルス幅変調により、調光度を表わす。すなわち、調光信号は、所定の周波数の矩形波であり、論理的な「１」である期間の長さ（デューティ比）が、調光度を表わす。論理的に「１」、すなわち所定の電位より電位が低い期間の長さが長いほど、高い調光度、すなわち光源ＬＡを明るく点灯することを表わす。
【００２７】
極性反転回路２２０は、調光度算出回路２１３（矩形波生成回路）が出力した調光信号を入力する。極性反転回路２２０は、入力した調光信号の極性を反転し、正極性の信号に変換する。すなわち、極性反転回路２２０が変換した信号は、電位が所定の電位より高い場合に論理的な「１」を表わし、低い場合に論理的な「０」を表わす。極性反転回路２２０は、変換した信号を出力する。極性反転回路２２０は、例えば、ＣＭＯＳ反転回路である。ＣＭＯＳ反転回路は、制御電源端子２２１とグランド配線との間に直列に電気接続したエンハンスメント型ＰＭＯＳ電界効果トランジスタ（ＦＥＴ）とエンハンスメント型ＮＭＯＳ電界効果トランジスタ（ＦＥＴ）とを有する。
制御電源端子２２１は、図示していない制御電源回路の出力に電気接続している。制御電源回路は、マイコン２１０や供給制御回路２７０を動作させる制御電源電力を生成する。制御電源回路は、例えば、電力供給回路１１０が交流電源ＡＣから入力した交流電力や、バッテリーなどから入力した直流電力などを、制御電源電力に変換する。なお、制御電源回路は、交流電源ＡＣからの交流電力の供給が途絶えたのち、少なくとも所定の期間（例えば数百ミリ秒）の間は、制御電源電力を生成し続ける。マイコン２１０や供給制御回路２７０は、電源切断時の終了処理をしたのち、動作を停止する。
【００２８】
積分回路２３０（目標電圧生成回路、定電圧変換部）は、極性反転回路２２０が出力した信号を入力する。積分回路２３０は、入力した信号を積分して、調光信号のデューティ比に比例する電圧を生成する。積分回路２３０が生成する調光信号のデューティ比に比例する電圧、すなわち、調光信号が表わす調光度に比例する電圧を、目標電圧と呼ぶ。
積分回路２３０は、例えば、積分抵抗Ｒ２３と積分コンデンサＣ２４とを有する。積分抵抗Ｒ２３は、入力した信号の電圧を電流に変換する。積分コンデンサＣ２４は、積分抵抗Ｒ２３が変換した電流により充放電する。これにより、積分コンデンサＣ２４の両端には、極性反転回路２２０が出力した信号のデューティ比に比例する電圧が発生する。
【００２９】
なお、調光度算出回路２１３が出力する調光信号は、パルス幅変調された信号ではなく、電圧変調された信号であってもよい。すなわち、調光信号は、電圧により調光度を表わす信号であってもよい。その場合、極性反転回路２２０や積分回路２３０はなくてもよい。
調光信号がパルス幅変調された信号である利点は、マイコン２１０にＤＡＣが不要であり、安価なマイコン２１０を利用できる点である。また、マイコン２１０がＤＡＣを備える場合であっても、パルス幅変調された信号であれば、ＤＡＣの電圧分解能よりも細かく調光度を表わすことができる。
【００３０】
バッファ回路２４０は、積分回路２３０が生成した電圧を電圧補正回路２５０に伝達する。バッファ回路２４０は、電圧補正回路２５０を流れる電流により積分回路２３０の積分コンデンサＣ２４が放電しないよう、インピーダンス変換をする。すなわち、バッファ回路２４０は、入力インピーダンスが高く、出力インピーダンスが低い。バッファ回路２４０は、例えば、コンデンサＣ２５、オペアンプＡ２６を有する。積分回路２３０の出力は、オペアンプＡ２６の正側入力端子に電気接続している。コンデンサＣ２５は、オペアンプＡ２６の負側入力端子と出力端子との間に電気接続している。なお、コンデンサＣ２５を設ける代わりに、オペアンプＡ２６の負側入力端子と出力端子との間を直接電気接続してもよい。
【００３１】
電圧補正回路２５０（補正部）は、バッファ回路２４０が伝達した電圧に比例する電圧を生成する。電圧補正回路２５０が生成する電圧を、補正電圧と呼ぶ。電圧補正回路２５０は、例えば、分圧回路を有する。分圧回路は、直列に電気接続した分圧固定抵抗Ｒ２７と分圧可変抵抗ＶＲ２８とを有する。電圧補正回路２５０は、分圧固定抵抗Ｒ２７の抵抗値と、分圧可変抵抗ＶＲ２８の抵抗値とにより定まる分圧比に基づいて、バッファ回路２４０が伝達した電圧に分圧比を乗じた電圧を生成する。電圧補正回路２５０は、分圧可変抵抗ＶＲ２８の抵抗値を変えることにより、分圧比を変えることができる。これにより、電圧補正回路２５０が生成する補正電圧を調整できる。
【００３２】
比較回路２６０（点灯出力設定回路）は、電圧補正回路２５０が生成した補正電圧と、積分回路１６５が生成した電圧とを比較する。比較回路２６０は、比較した結果に基づいて、どちらの電圧が高いかを表わす信号を生成する。比較回路２６０が生成する信号を、帰還信号と呼ぶ。比較回路２６０は、例えば、オペアンプＡ２９である。
【００３３】
供給制御回路２７０（主制御回路）は、インバータ回路１４０を動作させる駆動信号を生成する。供給制御回路２７０は、駆動信号によりインバータ回路１４０の発振を制御し、電力供給回路１１０の動作（光源ＬＡの点灯状態）を制御する。供給制御回路２７０は、比較回路２６０が生成した帰還信号（点灯制御信号）に基づいて、駆動信号の周波数を調整する。
電力測定電圧が補正電圧より低い場合、電力供給回路１１０が光源ＬＡに供給している電力が目標とする電力より小さいことを意味する。供給制御回路２７０は、駆動信号の周波数を低くして、光源ＬＡを流れる電流を増加させる。
電力測定電圧が補正電圧より高い場合、電力供給回路１１０が光源ＬＡに供給している電力が目標とする電力より大きいことを意味する。供給制御回路２７０は、駆動信号の周波数を高くして、光源ＬＡを流れる電流を減少させる。
このようなフィードバック制御により、電力供給回路１１０が光源ＬＡに供給する電力が、所望の値になるよう調整する。
【００３４】
上述したように、電力測定回路１６０が生成する電力測定電圧の平均値は、電力供給回路１１０が光源ＬＡに供給している電力に比例するが、その比例定数は、電流検出抵抗Ｒ６１の抵抗値により定まる。しかし、抵抗の抵抗値には公差（例えば±５％）があるため、電力測定電圧の平均値にはバラツキがある。
このバラツキを補償するため、点灯装置１００あるいは照明装置８００の製造過程において、分圧可変抵抗ＶＲ２８の抵抗値を調整して、電圧補正回路２５０の分圧比を調整する。
【００３５】
また、供給制御回路２７０は、異常検出回路１８０の検出結果に基づいて、保護動作をする。すなわち、異常検出回路１８０が異常を検出した場合、供給制御回路２７０は、駆動信号の生成を停止して、電力供給回路１１０が光源ＬＡに電力を供給するのを停止させる。
動作検出回路２１１は、供給制御回路２７０が電力供給回路１１０の動作を停止させたことを検出する。点灯時間計測回路２１２は、動作検出回路２１１の検出結果に基づいて、点灯時間の計測を停止する。また、調光度算出回路２１３は、調光信号の出力を停止する。
【００３６】
図４は、この実施の形態における供給制御回路２７０の構成を示す構成図である。
供給制御回路２７０は、例えば、制御ＩＣ２７１、定数設定コンデンサＣ７３、定数設定抵抗Ｒ７４を有する。
制御ＩＣ２７１は、集積回路である。制御ＩＣ２７１は、インバータ回路制御用に設計された汎用ＩＣである。制御ＩＣ２７１は、複数の端子２７２ａ〜２７２ｊ（ピン、ディップ）を有する。
例えば、端子２７２ａは、電源入力端子である。端子２７２ａは、制御ＩＣ２７１を動作させる制御電源電力を入力する。端子２７２ａは、制御電源端子２２１に電気接続している。
端子２７２ｄは、グランド端子である。端子２７２ｄは、グランド配線に電気接続している。
端子２７２ｅは、使用していない空き端子である。
端子２７２ｆは、異常検出信号入力端子である。端子２７２ｆは、異常検出信号を入力する。端子２７２ｆは、異常検出回路１８０の出力に電気接続している。
端子２７２ｇは、帰還信号入力端子である。端子２７２ｇは、帰還信号を入力する。端子２７２ｇは、比較回路２６０の出力に電気接続している。
端子２７２ｈ〜２７２ｊは、駆動信号出力端子である。端子２７２ｈ〜２７２ｊは、駆動信号を出力する。端子２７２ｈは、第二駆動信号端子１４３に電気接続している。端子２７２ｉは、第一基準信号端子１４２に電気接続している。端子２７２ｊは、第一駆動信号端子１４１に電気接続している。
端子２７２ｂ，２７２ｃは、設定素子接続端子である。設定素子接続端子とは、制御ＩＣ２７１の動作定数を設定するため、抵抗やコンデンサなどの素子を接続する端子である。定数設定抵抗Ｒ７４は、端子２７２ｂとグランド配線との間に電気接続している。定数設定コンデンサＣ７３は、端子２７２ｃとグランド配線との間に電気接続している。制御ＩＣ２７１の動作定数は、定数設定抵抗Ｒ７４の抵抗値や定数設定コンデンサＣ７３の静電容量など、設定素子接続端子に接続された素子の回路定数により決定される。制御ＩＣ２７１の動作定数には、例えば、予熱時間や予熱周波数などがある。予熱時間とは、光源ＬＡの点灯を開始する前に、光源ＬＡを放電しやすくするため、光源ＬＡのフィラメントを暖めるための時間である。予熱周波数とは、予熱時間において電力供給回路１１０が光源ＬＡに供給する電力の周波数である。このように、制御ＩＣ２７１の動作定数は、例えば、電力供給回路１１０が所定のモードで動作する時間や、電力供給回路１１０が所定のモードで動作しているとき、光源ＬＡに供給する電力の周波数などである。
【００３７】
動作検出回路２１１は、例えば、端子２７２ｂの電位を監視することにより、供給制御回路２７０が電力供給回路１１０を動作させているか否かを検出する。
制御ＩＣ２７１は、所定の動作状態において、設定素子接続端子に電圧を発生させたり、設定素子接続端子から電流を流出させたりすることにより、設定素子接続端子に接続された素子の回路定数を測定する。このため、設定素子出力端子の電位を監視すれば、制御ＩＣ２７１の動作状態が検出できる。
【００３８】
なお、動作検出回路２１１が電位を監視する端子は、設定素子接続端子に限らず、駆動信号出力端子や制御電源入力端子など他の端子であってもよい。
駆動信号出力端子は、駆動信号を出力する。したがって、駆動信号出力端子の電位を監視することにより、制御ＩＣ２７１が電力供給回路１１０を動作させているか否かを直接的に検出できる。
また、制御電源回路は、インバータ回路１４０が出力した電圧波形が矩形波である電力から制御電源電力を生成する場合がある。その場合、制御電源入力端子の電位を監視することにより、インバータ回路１４０が動作しているかを知ることができるので、制御ＩＣ２７１が電力供給回路１１０を動作させているか否かを検出できる。
【００３９】
このように、動作検出回路２１１は、制御ＩＣ２７１が有している既存の端子の電位を監視することで、供給制御回路２７０が電力供給回路１１０を動作させているか否かを検出する。供給制御回路２７０は、動作状態を動作検出回路２１１に知らせるための信号を生成する必要がない。このため、既存の汎用の制御ＩＣをそのまま使用して、汎用の制御ＩＣにない機能を持つ点灯装置１００を構成することができ、新たな制御ＩＣを開発する必要がないので、点灯装置１００の開発コストを抑えることができる。
【００４０】
図５は、この実施の形態における点灯装置１００の動作の一例を示す波形図である。
横軸は、時刻を示す。縦軸は、電圧を示す。実線６１１ａ〜６１１ｃは、全波整流回路１２０が出力する電力の電圧波形を示す。実線６１２ａ〜６１２ｃは、入力検出回路１７０が出力する入力検出信号の電圧波形を示す。
入力検出回路１７０は、例えば、全波整流回路１２０が出力した電力の電圧瞬時値を、破線６８１が示す閾値電圧（例えば１０〜７０Ｖ）と比較する。入力検出回路１７０は、電圧瞬時値が閾値電圧より高い場合に、入力検出信号の電圧を０Ｖにし、電圧瞬時値が閾値電圧より低い場合に、入力検出信号の電位を、破線６８２が示す所定の電圧（例えば５Ｖ）にする。
【００４１】
点灯装置１００が入力する入力電力の電圧が正常値である場合、実線６１１ａに示すように、全波整流回路１２０が出力する電力の電圧瞬時値は、交流電源ＡＣの周波数の２倍の周波数に対応する周期で、閾値電圧を超える。このため、実線６１２ａに示すように、入力検出回路１７０が出力する入力検出信号の電圧波形は、矩形波になる。すなわち、この例において、入力検出信号は、電圧波形が矩形波である場合に、電力供給回路１１０が入力電力を入力していることを表わす。
点灯装置１００が入力する入力電力の電圧がサグなどにより低下した場合、実線６１１ｂに示すように、全波整流回路１２０が出力する電力の電圧瞬時値は、閾値電圧を超えなくなる。このため、実線６１２ｂに示すように、入力検出回路１７０が出力する入力検出信号の電圧波形は、直流になる。
また、電源スイッチＳＷがオフになるなど、交流電源ＡＣからの電力供給が停止した場合、実線６１１ｃに示すように、全波整流回路１２０が出力する電力の電圧瞬時値は０になる。このため、実線６１２ｃに示すように、入力検出回路１７０が出力する入力検出信号の電圧波形は、直流になる。
すなわち、この例において、入力検出信号は、電圧波形が直流である場合に、電力供給回路１１０が入力電力を入力していないことを表わす。
【００４２】
なお、閾値電圧を高く（例えば７０Ｖに）設定すれば、わずかな電源電圧の低下でも入力がなくなったと判定することができる。電源電圧の低下によりマイコン２１０などが暴走する可能性がある場合、わずかな電源電圧の低下を検出することにより、マイコン２１０などが暴走する前に、点灯装置１００の動作を停止させることが可能となる。逆に、閾値電圧を低く（例えば１０Ｖ〜５０Ｖに）設定すれば、わずかな電源電圧の低下には影響されず、入力電力を入力していると判定することができる。
【００４３】
図６は、この実施の形態における点灯装置１００の動作の一例を示す波形図である。
横軸は、時刻を示す。なお、図５とは時間軸のスケールが異なる。縦軸は、電圧もしくは電流を示す。実線６２１ａ〜６２１ｃは、第一駆動信号端子１４１の第一基準信号端子１４２に対する電位差、すなわちスイッチング素子Ｑ４１を駆動する駆動信号の電圧波形を示す。実線６２２ａ〜６２２ｃは、第二駆動信号端子１４３の電位、すなわちスイッチング素子Ｑ４２を駆動する駆動信号の電圧波形を示す。実線６２３ａ〜６２３ｃは、インバータ回路１４０が出力する電力の電圧波形を示す。太破線６７１ａ〜６７１ｃは、異常検出端子１１２の電位を示す。実線６２４ａ〜６２４ｃは、異常検出回路１８０が出力する異常検出信号の電圧波形を示す。実線６２５ａ〜６２５ｃは、光源ＬＡを流れる電流の電流波形を示す。実線６２６ａ〜６２６ｃは、電力測定電圧端子１６２の電位を示す。実線６２７ａ〜６２７ｃは、積分回路１６５が生成する電圧の電圧波形を示す。太破線６７２は、電圧補正回路２５０が生成する補正電圧の電圧波形を示す。
【００４４】
供給制御回路２７０は、電力供給回路１１０を動作させる場合、実線６２１ａ〜６２２ｃに示すように、２つのスイッチング素子Ｑ４１，Ｑ４２を交互にオンオフさせる駆動信号を生成する。なお、２つのスイッチング素子Ｑ４１，Ｑ４２が同時にオンにならないようにするため、２つのスイッチング素子Ｑ４１，Ｑ４２がともにオフになる期間（デッドタイム）を設ける。
供給制御回路２７０は、電力供給回路１１０の動作を停止する場合は、２つのスイッチング素子Ｑ４１，Ｑ４２がともにオフの状態を継続する駆動信号を生成する。
【００４５】
インバータ回路１４０が出力する電力の電圧瞬時値は、実線６２３ａ〜６２３ｃに示すように、スイッチング素子Ｑ４１がオンの場合、アクティブフィルタ回路１３０が出力する電力の直流電圧値とほぼ等しくなる。スイッチング素子Ｑ４２がオンの場合、インバータ回路１４０が出力する電力の電圧瞬時値は、ほぼ０になる。２つのスイッチング素子Ｑ４１，Ｑ４２がともにオフの場合、インバータ回路１４０が出力する電力の電圧瞬時値は、結合コンデンサＣ５３の両端電圧とほぼ等しくなる。
【００４６】
光源ＬＡが正常に点灯している場合、結合コンデンサＣ５３を充電する電流と放電する電流とはほぼ等しい。異常検出端子１１２の電位は、太破線６７１ａに示すように、アクティブフィルタ回路１３０が出力する電力の直流電圧値の約半分になる。
光源ＬＡがエミレス点灯状態の場合、結合コンデンサＣ５３を充電する電流と放電する電流とのバランスが崩れる。結合コンデンサＣ５３を放電する電流のほうが大きければ、異常検出端子１１２の電位は、太破線６７１ｂに示すように、正常時よりも低くなる。逆に、結合コンデンサＣ５３を充電する電流のほうが大きければ、異常検出端子１１２の電位は、太破線６７１ｃに示すように、正常時よりも高くなる。
【００４７】
異常検出回路１８０は、異常検出端子１１２の電位を、破線６８２が示す上限閾値電圧および破線６８３が示す下限閾値電圧と比較する。
異常検出端子１１２の電位が上限閾値電圧より小さくかつ下限閾値電圧より大きい場合、異常検出回路１８０は、実線６２４ａに示すように、所定の電圧（例えば５Ｖ）の異常検出信号を出力する。
異常検出端子１１２の電位が上限閾値電圧より大きい場合、異常検出回路１８０は、実線６２５ｂに示すように、所定の電圧（例えば０Ｖ）の異常検出信号を出力する。異常検出端子１１２の電位が下限閾値電圧より小さい場合も同様に、異常検出回路１８０は、実線６２５ｃに示すように、所定の電圧（例えば０Ｖ）の異常検出信号を出力する。
すなわち、この例において、異常検出信号は、電圧が検出結果を表わす。異常検出信号の電圧が所定の閾値電圧より高ければ、異常検出回路１８０が異常を検出していないことを表わす。異常検出信号の電圧が閾値電圧より低ければ、異常検出回路１８０が異常を検出したことを表わす。
【００４８】
光源ＬＡが正常に点灯している場合、光源ＬＡを流れる電流は、実線６２５ａに示すように、スイッチング素子Ｑ４１がオンのときは、ほぼ一定の傾きで増加し、スイッチング素子Ｑ４１がオフになると、０になる。スイッチング素子Ｑ４２がオンになると、ほぼ一定の傾きで、逆方向に増加し、スイッチング素子Ｑ４２がオフになると、０になる。
光源ＬＡがエミレス点灯状態の場合、光源ＬＡを流れる電流は、実線６２５ｂ，６２５ｃに示すように、どちらか一方向にしか流れなくなる。
【００４９】
電力測定電圧端子１６２の電位は、スイッチング素子Ｑ４２を流れる電流に比例する。スイッチング素子Ｑ４２を流れる電流は、スイッチング素子Ｑ４２がオンのとき光源ＬＡを流れる電流と等しい。したがって、電力測定電圧端子１６２の電位は、実線６２６ａ〜６２６ｃに示すように、光源ＬＡを流れる電流のうち一方向の電流に比例する。
【００５０】
積分回路１６５は、実線６２７ａ〜６２７ｃに示すように、電力測定電圧端子１６２の電位の平均値にほぼ等しい電圧を生成する。
【００５１】
点灯検出回路１９０は、積分回路１６５が生成した電圧を、破線６８４が示す閾値電圧と比較して、光源ＬＡが点灯しているか否かを検出する。光源ＬＡが正常に点灯していれば、積分回路１６５が生成する電圧が閾値電圧より高くなり、点灯検出回路１９０は、光源ＬＡが点灯していると判定する。光源ＬＡがエミレス点灯状態の場合、光源ＬＡを流れている電流の方向などにより、積分回路１６５が生成する電圧が閾値電圧より高くなる場合と低くなる場合とがあるので、点灯検出回路１９０は、光源ＬＡが点灯していると判定する場合と、光源ＬＡが点灯していないと判定する場合とがある。
【００５２】
電圧補正回路２５０は、太破線６７２に示すように、調光度算出回路２１３が算出した調光度に比例する補正電圧を生成する。
【００５３】
比較回路２６０は、積分回路１６５が生成した電圧と補正電圧とを比較して、帰還信号を生成する。積分回路１６５が生成した電圧が補正電圧より高い場合、比較回路２６０は、所定の第一の電圧（例えば０Ｖ）の帰還信号を生成する。積分回路１６５が生成した電圧が補正電圧より低い場合、比較回路２６０は、所定の第二の電圧（例えば５Ｖ）の帰還信号を生成する。
供給制御回路２７０は、帰還信号の電圧が第一の電圧であれば、光源ＬＡに供給する電力が小さくなるよう、電力供給回路１１０を制御する。また、供給制御回路２７０は、帰還信号の電圧が第二の電圧であれば、光源ＬＡに供給する電力が大きくなるよう、電力供給回路１１０を制御する。
光源ＬＡが正常に点灯している場合は、供給制御回路２７０の動作により、電力供給回路１１０が光源ＬＡに供給する電力が調整されるので、積分回路１６５が生成する電圧は、実線６２７ａに示すように、電圧補正回路２５０が生成した補正電圧とほぼ等しくなる。
光源ＬＡが異常点灯している場合は、異常検出回路１８０が異常を検出するので、供給制御回路２７０は、電力供給回路１１０の動作を停止させる。
【００５４】
図７は、この実施の形態における点灯装置１００の動作の一例を示す波形図である。
横軸は、時刻を示す。なお、図５及び図６とは時間軸のスケールが異なる。縦軸は、電圧を示す。実線６３１ａ〜６３１ｃは、供給制御回路２７０の端子２７２ｂの電位を示す。
【００５５】
供給制御回路２７０が電力供給回路１１０を動作させている場合、端子２７２ｂの電位は、実線６３１ａに示すように、所定のバイアス（例えば１．５Ｖ）がかかった正弦波波形（例えばピーク−ピーク１Ｖ）となる。供給制御回路２７０が電力供給回路１１０を停止させ待機状態にある場合、端子２７２ｂの電位は、実線６３１ｂに示すように、バイアスが小さくなる（例えばバイアス０．５Ｖ、ピーク−ピーク０．３Ｖ）か、実線６３１ｃに示すように、０Ｖになる。
【００５６】
動作検出回路２１１は、端子２７２ｂの電位を、破線６８５が示す所定の閾値電圧（例えば０．８Ｖ）と比較して、供給制御回路２７０が電力供給回路１１０を動作させているか否かを判定する。端子２７２ｂの電位が常に閾値電圧より高い場合、動作検出回路２１１は、供給制御回路２７０が電力供給回路１１０を動作させていると判定する。端子２７２ｂの電位が閾値電圧を下回る期間がある場合、動作検出回路２１１は、供給制御回路２７０が電力供給回路１１０を動作させていないと判定する。
【００５７】
図８は、この実施の形態における副制御処理Ｓ５００の流れを示すフローチャート図である。
副制御処理Ｓ５００において、マイコン２１０は、光源ＬＡの点灯時間を測定する。
副制御処理Ｓ５００は、例えば、初期化工程Ｓ５１１、入力検出工程Ｓ５１２、動作検出工程Ｓ５１３、状態判定工程Ｓ５１４、点灯検出工程Ｓ５１５、点灯記憶工程Ｓ５１６、初期化要求判定工程Ｓ５１７、経過時間判定工程Ｓ５１８、点灯時間更新工程Ｓ５１９、初期化要求設定工程Ｓ５２１、点灯時間初期化工程Ｓ５２２を有する。
【００５８】
電源スイッチＳＷがオンになるなどして、交流電源ＡＣから点灯装置１００に対して交流電力が供給されると、マイコン２１０及び供給制御回路２７０が動作を開始する。供給制御回路２７０は、定数設定抵抗Ｒ７４などにより定まる動作定数にしたがって、光源ＬＡを予熱し、始動し、点灯させる。
【００５９】
初期化工程Ｓ５１１において、点灯時間計測回路２１２は、電源投入による動作開始時の初期化処理をする。例えば、点灯時間計測回路２１２は、ＲＡＭを用いて、動作状態データを記憶する。動作状態データは、点灯装置１００の動作状態を表わす。点灯時間計測回路２１２は、動作状態データを初期化して、点灯装置１００の動作開始後まだ光源ＬＡが点灯していない状態であることを記憶する。
【００６０】
入力検出工程Ｓ５１２において、点灯時間計測回路２１２は、入力検出回路１７０が出力した入力検出信号に基づいて、電力供給回路１１０が入力電力を入力しているか否かを判定する。
電力供給回路１１０が入力電力を入力している場合、点灯時間計測回路２１２は、動作検出工程Ｓ５１３へ処理を進める。
電力供給回路１１０が入力電力を入力していない場合、点灯時間計測回路２１２は、入力検出工程Ｓ５１２を繰り返す。電力供給回路１１０が入力電力を入力していない場合でも、所定の期間の間は、制御電源回路が制御電源電力を生成し続けるので、マイコン２１０は動作を続ける。入力が回復しないまま所定の期間が経過すると、制御電源回路による制御電源電力の生成が停止し、それに伴って、マイコン２１０も動作を停止する。これにより、入力検出工程Ｓ５１２以外の処理の途中でマイコン２１０が停止することによる不具合の発生を防ぐ。
【００６１】
動作検出工程Ｓ５１３において、動作検出回路２１１は、供給制御回路２７０の動作状態を検出する。
供給制御回路２７０が電力供給回路１１０を動作させている場合、動作検出回路２１１は、状態判定工程Ｓ５１４へ処理を進める。
異常検出回路１８０が異常を検出するなどして供給制御回路２７０が保護動作をし、供給制御回路２７０が電力供給回路１１０を動作させずに待機している場合、動作検出回路２１１は、初期化要求設定工程Ｓ５２１へ処理を進める。
【００６２】
初期化要求設定工程Ｓ５２１において、点灯時間計測回路２１２は、保護動作データをＲＯＭに記憶する。保護動作データは、供給制御回路２７０が保護動作をしたか否かを表わす。点灯時間計測回路２１２は、保護動作データを更新して、供給制御回路２７０が保護動作をしたことを記憶する。異常検出により供給制御回路２７０が保護動作をし、その後、供給制御回路２７０が保護動作をせずに光源ＬＡが点灯した場合、異常が発生した光源ＬＡが、異常のない新しい光源ＬＡに交換されたものと考えられる。したがって、次に光源ＬＡが点灯したとき、点灯時間を初期化して０にする必要がある。このため、点灯時間計測回路２１２は、マイコン２１０の動作電源が切れても記憶内容を保持できるＲＯＭを用いて、供給制御回路２７０が保護動作したことを記憶する。
点灯時間計測回路２１２は、入力検出工程Ｓ５１２に処理を戻す。
【００６３】
状態判定工程Ｓ５１４において、点灯時間計測回路２１２は、ＲＡＭに記憶している動作状態データを読み出す。点灯時間計測回路２１２は、読み出した動作状態データに基づいて、点灯装置１００の動作状態を判定する。
点灯装置１００の動作開始後まだ光源ＬＡが点灯していない状態だった場合、点灯時間計測回路２１２は、点灯検出工程Ｓ５１５へ処理を進める。
点灯装置１００の動作開始後、既に光源ＬＡが点灯している状態だった場合、点灯時間計測回路２１２は、初期化要求判定工程Ｓ５１７へ処理を進める。
【００６４】
点灯検出工程Ｓ５１５において、点灯時間計測回路２１２は、点灯検出回路１９０が出力した点灯検出信号を入力し、光源ＬＡが点灯したか否かを判定する。
光源ＬＡが点灯している場合、点灯時間計測回路２１２は、点灯記憶工程Ｓ５１６に処理を進める。
光源ＬＡがまだ点灯していない場合、点灯時間計測回路２１２は、入力検出工程Ｓ５１２に処理を戻す。
【００６５】
点灯記憶工程Ｓ５１６において、点灯時間計測回路２１２は、ＲＡＭに記憶している動作状態データを更新して、点灯装置１００の動作開始後、光源ＬＡが点灯している状態になったことを記憶する。
次に、点灯時間計測回路２１２は、ＲＯＭに記憶している点灯時間を読み出す。調光度算出回路２１３は、点灯時間計測回路２１２が読み出した点灯時間に基づいて、調光度を算出する。電圧補正回路２５０は、調光度算出回路２１３が算出した調光度に比例する補正電圧を生成する。比較回路２６０は、補正電圧と電力測定電圧とを比較して帰還信号を生成する。供給制御回路２７０は、帰還信号に基づいて電力供給回路１１０が光源ＬＡに供給する電力を調整する。光源ＬＡは、調光度算出回路２１３が算出した調光度で点灯する。
また、点灯時間計測回路２１２は、経過時間の測定を開始する。
【００６６】
初期化要求判定工程Ｓ５１７において、点灯時間計測回路２１２は、ＲＯＭに記憶している保護動作データを読み出す。点灯時間計測回路２１２は、読み出した保護動作データに基づいて、光源ＬＡが点灯する前に供給制御回路２７０が保護動作をしたか否かを判定する。
供給制御回路２７０が保護動作をした場合、現在は光源ＬＡが点灯しているのだから、照明装置８００に現在接続されている光源ＬＡは、交換された新しい光源ＬＡである。点灯時間計測回路２１２は、点灯時間初期化工程Ｓ５２２へ処理を進める。
供給制御回路２７０が保護動作をしていなかった場合、点灯時間計測回路２１２は、経過時間判定工程Ｓ５１８へ処理を進める。
【００６７】
点灯時間初期化工程Ｓ５２２において、点灯時間計測回路２１２は、ＲＯＭに記憶している点灯時間を初期化して０にする。また、点灯時間計測回路２１２は、ＲＯＭに記憶している保護動作データを更新して、供給制御回路２７０が保護動作をしていないことを記憶する。
調光度算出回路２１３は、初期化されて０になった点灯時間に基づいて、調光度を算出する。電圧補正回路２５０は、調光度算出回路２１３が算出した調光度に比例する補正電圧を生成する。比較回路２６０は、補正電圧と電力測定電圧とを比較して帰還信号を生成する。供給制御回路２７０は、帰還信号に基づいて電力供給回路１１０が光源ＬＡに供給する電力を調整する。光源ＬＡは、調光度算出回路２１３が算出した調光度で点灯する。
【００６８】
経過時間判定工程Ｓ５１８において、点灯時間計測回路２１２は、点灯記憶工程Ｓ５１６または後述する点灯時間更新工程Ｓ５１９で経過時間の計測を開始してから、所定の時間（例えば１時間）が経過したか否かを判定する。
所定の時間がまだ経過していない場合、点灯時間計測回路２１２は、入力検出工程Ｓ５１２に処理を戻す。
所定の時間が既に経過している場合、点灯時間計測回路２１２は、点灯時間更新工程Ｓ５１９に処理を進める。
【００６９】
点灯時間更新工程Ｓ５１９において、点灯時間計測回路２１２は、ＲＯＭから読み出した点灯時間を増加させる。点灯時間計測回路２１２は、ＲＯＭが記憶している点灯時間を更新して、増加した点灯時間を記憶する。
調光度算出回路２１３は、増加した点灯時間に基づいて、調光度を算出する。電圧補正回路２５０は、調光度算出回路２１３が算出した調光度に比例する補正電圧を生成する。比較回路２６０は、補正電圧と電力測定電圧とを比較して帰還信号を生成する。供給制御回路２７０は、帰還信号に基づいて電力供給回路１１０が光源ＬＡに供給する電力を調整する。光源ＬＡは、調光度算出回路２１３が算出した調光度で点灯する。
また、点灯時間計測回路２１２は、測定した経過時間を初期化して、再び経過時間の測定を開始する。
点灯時間計測回路２１２は、入力検出工程Ｓ５１２に処理を戻す。
【００７０】
点灯時間計測回路２１２は、点灯時間を初期化もしくは更新した場合、すぐに新しい点灯時間をＲＯＭに保存する。したがって、マイコン２１０がいつ動作を停止しても、最新の点灯時間をＲＯＭが記憶している。これにより、動作再開後も、光源ＬＡの点灯時間に合った調光度で光源ＬＡを点灯することができる。
【００７１】
なお、動作検出工程Ｓ５１３で供給制御回路２７０が保護動作をしていることを検出した場合、すぐに、点灯時間計測回路２１２が点灯時間を初期化する構成としてもよい。
また、入力検出工程Ｓ５１２で電力供給回路１１０が入力電力を入力していないことを検出した場合、マイコン２１０が自然に動作を停止するのを待つのではなく、点灯時間計測回路２１２が終了処理をして、マイコン２１０の動作を停止する構成としてもよい。
【００７２】
以上のように、主となる制御回路（供給制御回路２７０）の動作を、サブとなる制御回路（マイコン２１０）が監視することにより、２つ以上の制御回路が協調して動作する。サブとなる制御回路は、主となる制御回路の端子の電位を監視することにより動作を監視するので、自身の動作状況をサブとなる制御回路に伝達するための機能が主となる制御回路になくてよい。このため、主となる制御回路として既存の汎用ＩＣなどを利用可能であり、主となる制御回路を新たに開発する必要がないので、点灯装置１００の開発コストを抑えることができる。
また、主たる制御回路の使用を変更せず、サブとなる制御回路の仕様を変更するだけで、様々な仕様の点灯装置１００を容易に設計することができる。
【００７３】
供給制御回路２７０は、帰還信号を介して、マイコン２１０から間接的に制御される。供給制御回路２７０は、帰還信号を入力する代わりに、調光信号を入力し、マイコン２１０から直接的に制御される構成であってもよい。
【００７４】
このように、簡単な点灯検出回路１９０により、点灯装置１００の光源ＬＡが点灯を開始したか否かを監視する。また、供給制御回路２７０の既存端子を監視することにより、光源ＬＡの寿命末期などによる保護動作を監視する。したがって、供給制御回路２７０は、マイコン２１０に動作状況を伝達する機能を有する必要がない。
【００７５】
図９は、この実施の形態における調光度と目標電圧・補正電圧との関係を示すグラフ図である。
横軸は、調光度算出回路２１３が算出した調光度を示す。縦軸は、電圧を示す。実線６３５は、調光度と、積分回路２３０が生成する目標電圧との関係を表わす。太破線６７５ａ〜６７５ｄは、調光度と、電圧補正回路２５０が生成する補正電圧との関係を表わす。
【００７６】
調光度算出回路２１３は、算出した調光度に比例するデューティ比を持つ調光信号を出力する。積分回路２３０は、調光信号のデューティ比に比例する目標電圧を生成する。したがって、積分回路２３０が生成する目標電圧は、調光度算出回路２１３が算出した調光度に比例する。
電圧補正回路２５０は、目標電圧を分圧して、目標電圧に比例する補正電圧を生成する。したがって、電圧補正回路２５０が生成する補正電圧は、調光度算出回路２１３が算出した調光度に比例する。
分圧可変抵抗ＶＲ２８の抵抗値を調整すると、電圧補正回路２５０の分圧比が変化する。これにより、太破線６７５ａ〜６７５ｄに示すように、調光度と補正電圧との関係を変えることができる。ただし、比例定数が変化するのみで、補正電圧が、調光度に対して直線的な比例関係にあることは変わらない。
【００７７】
電圧補正回路２５０を設ける代わりに、バッファ回路２４０の出力を比較回路２６０に直接入力し、積分回路２３０の積分コンデンサＣ２４と並列に可変抵抗を設ける構成としても、比較回路２６０が電力測定電圧と比較する電圧と、調光度との関係を調整できるようにすることは可能である。
しかし、そのような構成とした場合、積分コンデンサＣ２４の充電電流と放電電流とのバランスが変わってしまうので、調光度に対して直線的な比例関係とはならない。このため、調光度との関係の変化を補償する更なる調整作業が必要となる。
【００７８】
それに対し、この実施の形態における構成は、回路定数のバラツキを補償するために分圧可変抵抗ＶＲ２８の抵抗値を調整しても、補正電圧の調光度に対する直線的な比例関係を維持できる。このため、分圧可変抵抗ＶＲ２８の抵抗値を調整するだけで、調整作業を完了することができる。
【００７９】
このように、分圧可変抵抗ＶＲ２８の抵抗値を調整するだけで、電子部品の公差などによる回路定数のバラツキを補償する調整作業を完了することができる。
特に、初期照度補正により時間経過とともに調光度を変える場合などであっても、１つの分圧可変抵抗ＶＲ２８の抵抗値を調整するだけで、調光度と補正電圧との比例関係を崩すことなく、補正電圧を調整できる。したがって、１つの調光度に対する補正電圧さえ調整すれば、他の調光度に対する補正電圧の調整は不要である。すなわち、マイコン２１０のＲＯＭが記憶したテーブルなど他の部分を調整する必要はない。
このため、調整作業を容易かつ迅速に完了することができ、点灯装置１００の製造コストを抑えることができる。
【００８０】
点灯装置１００は、光源ＬＡを点灯する点灯電力を上記光源ＬＡに供給する電力供給回路１１０と、上記電力供給回路１１０が上記光源ＬＡに供給した点灯電力を測定し、測定した電力に比例する電力測定電圧を生成する電力測定回路１６０（及び積分回路１６５）と、上記電力供給回路１１０が上記光源ＬＡに供給する点灯電力の目標値に比例する目標電圧を生成する目標電圧生成回路（調光度算出回路２１３、極性反転回路２２０、積分回路２３０）と、上記目標電圧生成回路（２１３、２２０、２３０）が生成した目標電圧に比例する補正電圧を生成し、上記目標電圧に対する上記補正電圧の比が可変である電圧補正回路２５０と、上記電力測定回路（１６０，１６５）が生成した電力測定電圧と上記電圧補正回路２５０が生成した補正電圧とを比較する比較回路２６０と、上記比較回路２６０が比較した結果に基づいて、上記電力供給回路１１０が上記光源ＬＡに供給する点灯電力を制御する供給制御回路２７０とを有する。
【００８１】
上記電圧補正回路２５０は、互いに直列に電気接続した固定抵抗（分圧固定抵抗Ｒ２７）と可変抵抗（分圧可変抵抗ＶＲ２８）とを有し、上記固定抵抗（Ｒ２７）と上記可変抵抗（ＶＲ２８）とにより上記目標電圧を分圧し、上記固定抵抗（Ｒ２７）または上記可変抵抗（ＶＲ２８）の両端に発生した電圧を上記補正電圧とする。
【００８２】
上記目標電圧生成回路（２１３、２２０、２３０）は、上記目標値に比例するデューティ比を有する矩形波信号を生成する矩形波生成回路（調光度算出回路２１３）と、上記矩形波生成回路（２１３）が生成した矩形波信号を積分して、上記目標電圧を生成する積分回路２３０とを有する。
【００８３】
上記点灯装置１００は、上記電圧補正回路２５０を流れる電流により上記目標電圧生成回路（２１３、２２０、２３０）が生成する電圧が影響を受けないようインピーダンス変換をするバッファ回路２４０を有する。
【００８４】
上記電力測定回路１６０は、固定抵抗（電流検出抵抗Ｒ６１）を有し、上記固定抵抗（Ｒ６１）の両端に発生した電圧を上記電力測定電圧とする。
【００８５】
上記電力供給回路１１０は、互いに直列に電気接続し交互にオンオフする２つのスイッチング素子Ｑ４１，Ｑ４２を有する。上記電力測定回路１６０の固定抵抗（Ｒ６１）は、上記電力供給回路１１０の２つのスイッチング素子Ｑ４１，Ｑ４２のうちいずれかのスイッチング素子（Ｑ４２）に直列に電気接続している。
【００８６】
上記電力供給回路１１０は、上記光源ＬＡに直列に電気接続し上記光源ＬＡを流れる電流を制限するチョークコイルＬ５１と、上記チョークコイルＬ５１を介して上記光源ＬＡに印加する交流電圧を生成する交流生成回路（インバータ回路１４０）とを有する。上記供給制御回路２７０は、上記交流生成回路（１４０）が生成する交流電圧の周波数を制御することにより、上記光源ＬＡに供給する電力を制御する。
【００８７】
照明装置８００は、光源ＬＡを着脱自在に固定する光源固定部８２０と、上記光源固定部８２０に固定した光源ＬＡに対して上記点灯電力を供給する点灯装置１００とを有する。
【符号の説明】
【００８８】
１００  点灯装置、１１０  電力供給回路、１１１  入力検出端子、１１２  異常検出端子、１２０  全波整流回路、１３０  アクティブフィルタ回路、１４０  インバータ回路、１４１  第一駆動信号端子、１４２  第一基準信号端子、１４３  第二駆動信号端子、１５０  負荷回路、１６０  電力測定回路、１６２  電力測定電圧端子、１６５  積分回路、１７０  入力検出回路、１８０  異常検出回路、１９０  点灯検出回路、２００  制御部、２１０  マイコン、２１１  動作検出回路、２１２  点灯時間計測回路、２１３  調光度算出回路、２２０  極性反転回路、２２１  制御電源端子、２３０  積分回路、２４０  バッファ回路、２５０  電圧補正回路、２６０  比較回路、２７０  供給制御回路、２７１  制御ＩＣ、２７２  端子、６１１〜６３５  実線、６７１〜６７５  太破線、６８１〜６８５  破線、８００  照明装置、８１０  本体、８２０  光源固定部、Ａ２６，Ａ２９  オペアンプ、ＡＣ  交流電源、Ｃ２４，Ｃ３２  積分コンデンサ、Ｃ２５  コンデンサ、Ｃ５２  始動コンデンサ、Ｃ５３  結合コンデンサ、Ｃ７３  定数設定コンデンサ、Ｌ５１  チョークコイル、ＬＡ  光源、Ｑ２１，Ｑ２２，Ｑ４１，Ｑ４２  スイッチング素子、Ｒ２３，Ｒ３１  積分抵抗、Ｒ２７  分圧固定抵抗、Ｒ６１  電流検出抵抗、Ｒ７４  定数設定抵抗、ＳＷ  電源スイッチ、ＶＲ２８  分圧可変抵抗。
【図１】
0005501045.tif 000002
【図２】
0005501045.tif 000003
【図３】
0005501045.tif 000004
【図４】
0005501045.tif 000005
【図５】
0005501045.tif 000006
【図６】
0005501045.tif 000007
【図７】
0005501045.tif 000008
【図８】
0005501045.tif 000009
【図９】
0005501045.tif 000010